(57)【要約】【課題】  グリップ部とともにレンズ装置に固定するのに有利な支持装置を提供することを例示的目的とする。【解決手段】  レンズ装置を支持するための支持装置であって、前記レンズ装置にグリップ部を着脱可能に固定する固定部によって前記レンズ装置に着脱可能に固定されることを特徴とする支持装置を提供する。【選択図】  図２
2019032436.tif 000002
【特許請求の範囲】
【請求項１】
レンズ装置を支持するための支持装置であって、
前記レンズ装置にグリップ部を着脱可能に固定する固定部によって前記レンズ装置に着脱可能に固定されることを特徴とする支持装置。
【請求項２】
前記固定部により、前記グリップ部との相対的な角度を可変に前記レンズ装置に固定されることを特徴とする請求項１に記載の支持装置。
【請求項３】
前記グリップ部と前記レンズ装置との間に前記固定部により固定され、かつ
前記グリップ部との相対的な角度を可変に前記グリップ部に係合する係合部と、前記レンズ装置との相対的な角度を可変に前記レンズ装置に係合する係合部とを有する、
ことを特徴とする請求項２に記載の支持装置。
【請求項４】
前記レンズ装置に締結される締結部を含む前記固定部が貫通する孔が形成されていることを特徴とする請求項３に記載の支持装置。
【請求項５】
前記孔は、前記レンズ装置に対する前記支持装置の位置を変更可能に形成されていることを特徴とする請求項４に記載の支持装置。
【請求項６】
固定可能な関節部を含むことを特徴とする請求項１乃至３のいずれか１項に記載の支持装置。
【請求項７】
固定部によってレンズ装置に着脱可能なグリップ部と、
前記固定部によって前記レンズ装置に着脱可能な、前記レンズ装置を支持するための支持部と、
を有することを特徴とするアクセサリ。
【請求項８】
前記グリップ部は、前記レンズ装置内の可動光学部材の駆動を操作するための操作部を有することを特徴とする請求項７に記載のアクセサリ。
【請求項９】
可動光学部材を含み、請求項７または８に記載のアクセサリが固定されたことを特徴とするレンズ装置。
【請求項１０】
請求項９に記載のレンズ装置と、
前記レンズ装置により形成された光学像を受ける撮像素子を含むカメラ装置と、
を有することを特徴とする撮像装置。
【請求項１１】
前記支持部を支持するベース部を有することを特徴とする請求項１０に記載の撮像装置。
【請求項１２】
前記ベース部は、前記カメラ装置またはその台から前記レンズ装置に沿って延びていることを特徴とする請求項１１に記載の撮像装置。
【請求項１３】
前記ベース部は、前記レンズ装置に沿って延びた棒状または板状の部材を含むことを特徴とする請求項１２に記載の撮像装置。
【請求項１４】
前記支持部は、関節部を有し、固定された前記関節部を介して前記ベース部に支持されていることを特徴とする請求項１１乃至１３のいずれか１項に記載の撮像装置。
【請求項１５】
前記支持部は、孔が形成され、前記孔を貫通する前記固定部を介して前記レンズ装置に固定され、かつ前記ベース部に支持されていることを特徴とする請求項１１乃至１３のいずれか１項に記載の撮像装置。
【請求項１６】
前記孔は、前記レンズ装置に対する前記支持部の位置を変更可能に形成されていることを特徴とする請求項１５に記載の撮像装置。
【発明の詳細な説明】
【技術分野】
【０００１】
本発明は、レンズ装置を支持するための支持装置、アクセサリ、レンズ装置、及び撮像装置に関するものである。
【背景技術】
【０００２】
従来、カメラに装着されたレンズを安定に保持するためのレンズ支持装置が知られている。特許文献１は、レンズ装置に設けられた取付部に連結してレンズ装置を支持するための支持装置を開示している。また、特許文献２は、カメラ本体から延びた支持バーと、支持バーに固定された保持部材とにより撮像ユニット（撮像光学系を含む）を保持することを開示している。
【先行技術文献】
【特許文献】
【０００３】
【特許文献１】特開２００３−２９５２８８号公報
【特許文献２】特開２００７−１６３６１７号公報
【発明の概要】
【発明が解決しようとする課題】
【０００４】
ユーザが右手でレンズ装置のグリップ部を把持し、左手でレンズ装置の操作リングを操作し、肩に担いで撮像を行う撮像装置にあって、当該グリップ部がレンズ装置に対して着脱式であるうえに、特許文献１、２の構成のようにレンズ装置の支持（保持）装置がレンズ装置に対して着脱式であると、それぞれの着脱（または固定）に手間がかかりうる。
【０００５】
そこで、本発明は、グリップ部とともにレンズ装置に固定するのに有利な支持装置を提供することを例示的目的とする。
【課題を解決するための手段】
【０００６】
上記目的を達成するため、本発明のレンズ装置を支持するための支持装置は、前記レンズ装置にグリップ部を着脱可能に固定する固定部によって前記レンズ装置に着脱可能に固定されることを特徴とする。
【発明の効果】
【０００７】
本発明によれば、例えば、グリップ部とともにレンズ装置に固定するのに有利な支持装置を提供することができる。
【図面の簡単な説明】
【０００８】
【図１】本発明の実施例１における撮像装置の運用状態を示した図である。
【図２】本発明の実施例１における撮像装置の正面図である。
【図３】本発明の実施例１におけるレンズ装置の部分断面図である。
【図４】本発明の実施例１におけるレンズ装置のグリップ部と支持部の展開図である。
【図５】本発明の実施例２におけるレンズ装置の正面図である。
【図６】本発明の実施例２におけるレンズ装置の部分断面図である。
【図７】本発明の実施例２におけるレンズ装置のグリップ部と支持部の展開図である。
【発明を実施するための形態】
【０００９】
以下に、添付図面を参照して、本発明の実施例について説明する。
【実施例１】
【００１０】
図１から図４を参照しながら、本実施例のアクセサリを備えた撮像装置（レンズ装置）について説明する。
【００１１】
図１は、本実施例におけるアクセサリを備えたレンズ装置を有する撮像装置の運用状態を示す。撮影者は、カメラ装置５０（撮像装置）のショルダーパッド部５２に肩を当て、撮影者の右手６０をレンズ装置１ａに固定されたグリップ部３０の甲当て部３４に手を通して把持する。グリップ部３０（アクセサリ）には、シーソースイッチ３３（操作部）が構成されており、撮影者はシーソースイッチ３３を操作することで、その操作角度に応じ、予め関連付けられたズームレンズ（可動光学部材）を駆動するための速度指令が出力される。グリップ部３０から送信される電気信号は、通信ケーブル３５を介してグリップ部３０からレンズ装置本体側へ送信され、不図示のズーム駆動装置を駆動することで、レンズ装置１ａのズーム操作を行う。レンズ装置１ａによって形成された光学像は、レンズ装置１ａにレンズマウントを介して着脱可能に接続されたカメラ装置５０に含まれる撮像素子によって受光され、光電変換された後、カメラ装置から画像信号として出力される。
【００１２】
図２は、図１のレンズ装置を被写体側から見た図である。カメラ装置５０の下面からは、ロッド５１（支持ベース部、棒状部材）が２本、カメラ装置側からレンズ装置が装着される側（レンズ装置側）に向けて突出している。２本のロッド５１の内の１本には、支持部３ｃがロッド５１を把持した状態で装着される。支持部３ｃには、ロッド固定ネジ５ａが構成され、ロッド固定ネジ５ａを回すことで、ロッド５１を把持する把持部のスリット８ａが閉じる方向に変形し、支持部３ｃをロッド５１に固定する。支持部３ｃには支持部３ｂが、支持部３ｂには支持部３ａが、回転固定ネジ４を有する関節部を介して連結しており、回転固定ネジ４を締結することで、それぞれの支持部間の位置関係が固定可能である。そのため、レンズ装置１ａとロッド５１の距離が変化した場合、回転固定ネジ４とロッド固定ネジ５ａを緩めて、支持部３ａ、３ｂ、３ｃの位置を調整することでレンズ装置１ａとロッド５１間の距離変化に応じて固定できる。
【００１３】
図３は、グリップ部３０の固定構造を示した部分断面図である。図４は、グリップ部３０と支持部３ａ、３ｂ、３ｃ（支持装置）を展開した図である。レンズ装置１ａには回転操作リング２２、２３、２４が外周に備えられ、撮影者は回転操作リングを回転操作することで、不図示の光学要素を駆動しフォーカスやズーム、アイリスのマニュアル操作を実施する。レンズ装置１ａにはレンズ菊座部２０、グリップ部３０にはグリップ菊座部３２があり、それぞれの菊座歯面は、２つの部品の中間に挟持されて配置される支柱菊座部２ａの菊座歯面と噛み合う。すなわち、グリップ部３０と支持部３ａ、及び、支持部３ａとレンズ装置１ａの接触面は、互いに噛み合う菊座歯面（係合部）で構成される。グリップ部３０から挿入される固定軸３１（固定部）は、支柱菊座穴部６を通り、固定軸３１先端の固定軸ネジ部３６（締結部、雄ネジ）がレンズ菊座ネジ部２１（雌ネジ）に螺合する。これによって、レンズ菊座部２０、グリップ菊座部３２、支柱菊座部２ａ間が着脱可能に固定される。ここで、固定軸３１の先端の固定軸ネジ部３６はグリップ菊座ネジ部３７を一度螺合した後、その螺合が外れるように先端のみがネジ部となっている。そのため、グリップ部３０をレンズ菊座部２０から外した場合においても、固定軸３１がグリップ部３０の貫通孔から脱落して抜け落ちない構造となっている。各菊座部（固定角度確定手段）の形状は、複数の歯型（係合部：当接する互いの面に半径方向に延在する一定の角度の間隔で形成されたＶ字状断面の切込み）が固定軸３１中心に放射状に等間隔で構成されている。そのため、グリップ部３０をグリップ菊座部３２の中心まわりに回転して、当接する面に形成された歯型の山と谷の部分が係合する回転位置で固定できる。これにより、グリップ部３０と支持部３ａ、３ｂ、３ｃ（支持装置）、さらに、支持部３ａ、３ｂ、３ｃ（支持装置）とレンズ装置１ａとの相対的な角度を可変に固定することが可能となり、撮影者が把持し易い位置に固定することができる。
【００１４】
以上のように、本発明によれば、レンズ装置へのグリップ部の着脱が支持部の着脱と同時にできる。
【実施例２】
【００１５】
図５から図７を参照しながら、本実施例のレンズ装置について説明する。
図５はレンズ装置を被写体側から見た図である。実施例１同様、不図示のカメラ装置からロッド５１が２本、レンズ装置が装着される側に向けて突出している。支持部３ｄ、３ｅは、２本のロッド５１を上下から挟むように構成されている。ロッド固定ネジ５ｂは、支持部３ｄの貫通穴を抜け、支持部３ｅのネジ部に螺合して固定するものであり、締めつけることによってスリット８ｂの隙間が小さくなる方向に支持部３ｄ、３ｅを変形しロッド５１に対する位置を固定する。
【００１６】
図６は、グリップ部の固定構造を示した部分断面図である。図７は、グリップ部と支持部材を展開した図である。レンズ装置１ｂにはレンズ菊座部２０、グリップ部３０にはグリップ菊座部３２があり、それぞれの菊座歯面は２つの支柱菊座２ｂと菊座歯面同士が噛み合う。グリップ部３０から挿入される固定軸３１は、支柱長穴部７を通り、固定軸３１先端の固定軸ネジ部３６がレンズ菊座ネジ部２１に螺合することで、レンズ菊座部２０、グリップ菊座部３２、支柱菊座２ｂ間が固定される。支柱菊座２ｂの支持部３ｄと接触する側には長溝９が形成される。支持部３ｄが長溝９に嵌まるように構成されることによって、支持部３ｄと支柱菊座２ｂが支持部３ｄの長手方向のみに互いの相対的な移動を規制する。また、ロッド５１に対するレンズ装置１ｂの距離が支持部３ｄの長手方向に変化した場合に支柱長穴部７の範囲内で、支柱菊座２ｂの固定位置の調整が可能（変更可能）である。本実施例についても、レンズ菊座部２０と支柱菊座２ｂ間、支柱菊座２ｂとグリップ菊座部３２間の菊座歯面同士の噛み合いによって、実施例１と同様にグリップ部３０の固定角度が調整できる。
【００１７】
以上のように、本発明によれば、レンズ装置へのグリップ部の着脱が支持部の着脱と同時にできる。
【００１８】
上記の実施例においては、カメラ装置側からレンズ装置が装着される側に向けて突出したロッド（棒状部材）に対して、支持部によってレンズ装置を支持する構成を例示したが、本発明はこれに限定されることはない。特許文献１に開示されているような板状（支持ベース部、板状部材）の支持機構に対して、支持部によってレンズ装置を支持する構成においても本発明は同様に適用し、同様の効果をえることができる。
【００１９】
以上、本発明の好ましい実施形態について説明したが、本発明のこれらの実施形態に限定されず、その要旨の範囲で種々の変形及び変更が可能である。
【符号の説明】
【００２０】
１ａ、１ｂ  レンズ装置
３ａ、３ｂ、３ｃ、３ｄ、３ｅ  支持部（支持装置）
３０  グリップ部
【図１】
2019032436.tif 000003
【図２】
2019032436.tif 000004
【図３】
2019032436.tif 000005
【図４】
2019032436.tif 000006
【図５】
2019032436.tif 000007
【図６】
2019032436.tif 000008
【図７】
2019032436.tif 000009